(57)【特許請求の範囲】
【請求項１】
支柱側面に透設したビーム受入孔にビームを嵌入保持するリング状のブラケットであって，上記ビーム受入孔の周縁外側に対接するように該ビーム受入孔より径大に形成したリング体と，該リング体に突設し上記ビーム受入孔に嵌入して該ビーム受入孔の周縁内側に部分的に引掛係止自在にしてブラケットを支柱に設置するブラケット設置用複数の係止脚片と，同じく上記リング体の複数の係止脚片間にリング体の円周方向に沿ってそれぞれ突設し先端側に向けて径小化することによってリング体に嵌入したビームを挟持状に保持するビーム保持突起とを備え且つ柔軟性を有する合成樹脂でこれらを一体に成形してなることを特徴とする防護柵のビーム取付ブラケット。
【請求項２】
上記ビーム保持突起を，波打ち乃至蛇腹のフィン状に形成してなることを特徴とする請求項１に記載の防護柵のビーム取付ブラケット。
【請求項３】
上記係止脚片を，１／４円ピッチでリング体に４ヶ所突設し，上記ビーム保持突起をこれら４ヶ所の係止脚片間に断続した円形リング状をなすように突設してなることを特徴とする請求項１又は２に記載の防護柵のビーム取付ブラケット。
【請求項４】
上記ブラケットの合成樹脂を，オレフィン系熱可塑性エラストマーとしてなることを特徴とする請求項１，２又は３に記載の防護柵のビーム取付ブラケット。
【発明の詳細な説明】
【０００１】
【発明の属する技術分野】
本発明は防護柵に関し，特にその支柱にビームを嵌入保持するに使用する防護柵のビーム取付ブラケットに関する。
【０００２】
【従来の技術】
この種防護柵の支柱にビーム（ビームパイプといってもよい）を嵌入保持するビーム取付ブラケットとして，例えば特許第９１５２８６号が知られている。
【０００３】
これによれば該ブラケットは，支柱側面のビーム受入孔の周縁外側に対接するように該ビーム受入孔より径大に形成したリング体と，該リング体に突設し上記ビーム受入孔に嵌入するとともにビームを嵌入することによって上記ビーム受入孔において強制的に拡開してその周縁内側に付勢状態で係止するブラケット設置とビーム保持とを兼用する複数の脚片とを備え且つ金属或いは硬質合成樹脂で一体に成形したものとされている。
【０００４】
【発明が解決しようとする課題】
この場合防護柵の支柱にビームを嵌入保持することによって，ビームの取付を効率よく行なうことができるが，その取付けに使用する脚片は，ビームを嵌入することによる強制拡開によって，リング体の周縁内側に付勢状態で係止するようにしたブラケット設置とビーム保持とを兼用するものとされるから，例えばこれを硬質合成樹脂によって成形したものとすると，脚片が常時拡開の付勢状態とされてその応力を受け続けるために，例えば振動や衝撃等によって，疲労した脚片が破損し，ビーム保持が損なわれる可能性が残る一方，例えば金属によって成形した鋳造品等とすると，脚片の拡開の付勢状態とするために過大な力を必要とする結果，ビームの嵌入が困難になったり，防護柵設置作業に支障を招いたりする可能性が残り，また脚片はビーム嵌入によってその拡開の付勢状態とされるから，支柱に対してビームが僅かに傾斜した場合のビーム保持は不可能ではないが，傾斜によって一部の脚片のリング体への係止が外れる程度の傾斜は，そのビーム保持の安定性が損なわれるために不適当となり，傾斜角度の許容度が小さく制約される結果，防護柵の工事，特に支柱の設置工事に高度な精度が要求され，これにより防護柵の工事が煩雑化する傾向を招く可能性が残る。
【０００５】
本発明はかかる事情に鑑みてなされたもので，その解決課題とするところは，脚片に無理な応力が作用することなくビームの嵌入保持を長期に亘って安定して行なうとともに支柱に対するビーム傾斜の許容度を拡大して，防護柵の工事を簡易且つ確実になし得ようにした防護柵のビーム取付ブラケットを提供するにある。
【０００６】
【課題を解決するための手段】
上記課題に沿って本発明は，リング体にブラケット取付用複数の係止脚片とこれらの間のビーム保持用にしてリング体の円周方向に沿うことによって湾曲したビーム保持突起（帯状の突起を含む）とを備えて，該ブラケット取付とビーム保持とをそれぞれ専用の部位によって行なうようにするとともにこれら係止脚片とビーム保持突起を含めたブラケット全体を柔軟性を有する軟質乃至半硬質の合成樹脂によって一体成形することによって，ブラケットの取付を支柱のビーム受入孔に馴染んだ状態に行い，係止脚片に無理な力が作用するのを防止して確実な取付を可能とするとともにビームの保持を無理なく確実に行い，また支柱に対するビーム傾斜の許容度を大きく確保し，防護柵の工事を簡易且つ確実になし得るようにしたものであって，即ち請求項１に記載の発明を，支柱側面に透設したビーム受入孔にビームを嵌入保持するリング状のブラケットであって，上記ビーム受入孔の周縁外側に対接するように該ビーム受入孔より径大に形成したリング体と，該リング体に突設し上記ビーム受入孔に嵌入して該ビーム受入孔の周縁内側に部分的に引掛係止自在にしてブラケットを支柱に設置するブラケット設置用複数の係止脚片と，同じく上記リング体の複数の係止脚片間にリング体の円周方向に沿ってそれぞれ突設し先端側に向けて径小化することによってリング体に嵌入したビームを挟持状に保持するビーム保持突起とを備え且つ柔軟性を有する合成樹脂でこれらを一体に成形してなることを特徴とする防護柵のビーム取付ブラケットとし，請求項２に記載の発明は，上記ビーム保持突起によるビーム嵌入保持の確実性を確保するとともに柔軟性を有する合成樹脂の摩擦抵抗によってビーム嵌入保持の容易性が損なわれる可能性を解消するように，これを，上記ビーム保持突起を，波打ち乃至蛇腹のフィン状に形成してなることを特徴とする請求項１に記載の防護柵のビーム取付ブラケットとし，請求項３に記載の発明は，防護柵にビームを取付けるについて，ブラケットの取付安定性，ビームの嵌入保持の安定性を高度に確保して，確実にして耐久性に優れたビームの保持を可能とするに相応しいブラケットの好ましい形態を示すように，これを，上記係止脚片を，１／４円ピッチでリング体に４ヶ所突設し，上記ビーム保持突起をこれら４ヶ所の係止脚片間に断続した円形リング状をなすように突設してなることを特徴とする請求項１又は２に記載の防護柵のビーム取付ブラケットとし，請求項４に記載の発明は，上記合成樹脂を，その柔軟性を適度のものとするとともに屋外設置の防護柵として好ましい耐候性を確保し，長期に亘るビームの安定した保持を可能とするように，これを，上記ブラケットの合成樹脂を，オレフィン系熱可塑性エラストマーとしてなることを特徴とする請求項１，２又は３に記載の防護柵のビーム取付ブラケットとし，これらをそれぞれ発明の要旨として上記課題解決の手段としたものである。
【０００７】
【発明の実施の形態】
以下図面の例に従って本発明を更に具体的に説明すれば，Ａは防護柵，１はその支柱，３はビーム，４はブラケットであり，該ブラケット４は，支柱１側面に透設したビーム受入孔２にビーム３を嵌入保持するリング状のものとしてあり，該ブラケット４はリング体５と，該リング体５に突設した係止脚片６と，同じく上記リング体５に突設したビーム保持突起７とを備えものとし，柔軟性を有する合成樹脂でこれらを一体に成形したものとしてある。
【０００８】
このとき本例のブラケット４の合成樹脂は，これを，オレフィン系熱可塑性エラストマーとしてあり，これによって，例えば硬さ（ＪＩＳ  Ａ）５０〜１１０度程度の，好ましい柔軟性を有することによってブラケット４として使用するに適した合成樹脂，例えば熱可塑性ポリウレタン，低密度ポリエチレン，ＥＶＡ，軟質ポリ塩化ビニル，ウレタンエラストマー等の各種熱可塑性乃至熱硬化性樹脂のうちでも，特に耐候性に優れて屋外設置の防護柵Ａに使用する上で最適のものとしてあり，該ブラケット４は，これを用いて射出成形を施すことによって一体成形したものとしてある。
【０００９】
リング体５は，上記支柱１のビーム受入孔２の周縁外側に対接するように該ビーム受入孔２より径大に形成したものとし，係止脚片６は，上記ビーム受入孔２に嵌入して該ビーム受入孔２の周縁内側に部分的に引掛係止自在にしてブラケット４を支柱１に設置するブラケット設置用複数のものとし，ビーム保持突起７は，同じく上記リング体５の複数の係止脚片６間にリング体５の円周方向に沿ってそれぞれ突設し先端側に向けて径小化することによってリング体５に嵌入したビーム３を挟持状に保持するものとしてある。
【００１０】
即ち本例にあってブラケット４のリング体５は，支柱１のビーム受入孔２の径５４ｍｍに対して外径を６２ｍｍとし，その開口径を，ビーム３の外径４２ｍｍより僅かに大きな４３ｍｍとして，約１ｃｍ幅の円形リングとして構成してあり，その背面側に上記係止脚片６とビーム保持突起７を突設して，該円形リングの外周側裏面を支柱１におけるビーム受入孔２の周縁外側に対接するようにしてある。
【００１１】
係止脚片６は，本例のブラケット４において，これを，１／４円ピッチでリング体５に４ヶ所突設してあり，本例において該係止脚片６は，上記リング体５の裏面に９０度間隔の４ヶ所に１ｃｍ幅で突出し，その先端側にリング体５外周方向に向けて膨出した係止部を備えたものとしてあり，このとき該係止部は，対向する一対において大きく，他の対向する一対において小さく膨出して，それぞれ該係止部がビーム受入孔２を潜り抜けて，その弾発性によって，係止脚片６がその周縁内側に引掛係止するようにしてあり，このとき上記係止部を大きく膨出した係止脚片６にあっては，該係止部とリング体５の裏面との間に支柱１のビーム受入孔２周縁を受け入れる受入溝を形成して，ビーム受入孔２の周縁を該受入溝に嵌合し，ブラケット４の取付けを更に強固且つ確実に行なうようにしてある。
【００１２】
ビーム保持突起７は，本例のブラケット４において，上記４ヶ所の係止脚片６間に断続した円形リング状をなすように突設してあり，このとき上記ビーム保持突起７は，これを，波打ち乃至蛇腹のフィン状に形成したものとしてあり，本例において該ビーム保持突起７は，上記リング体５の係止脚片６間の裏面に係止脚片６の空間を埋めるようにリング体５の円周方向に沿って波打ち乃至蛇腹の形状を呈して湾曲したフィンとするように４条（４面といってもよい）突設するとともにそれぞれ該突設を円内方向に傾斜するようにして先端側に向けて径小化したものとしてあり，本例にあって該ビーム保持突起７は，その波打ち乃至蛇腹の内端を，例えば半径１乃至３ｍｍ，本例にあって２ｍｍとする一方，上記径小化を，上記４３ｍｍの開口径に対して４ｍｍ内側に突出するように，先端において３９ｍｍとしてあり，これによって上記ビーム３のリング体５開口への嵌入時に当初ビーム保持突起７の内端がビーム３に線接触状に接触するも，その進行につれて，これがビーム３の外周に馴染むように潰されてその接触面積を増加する結果，ビーム３を挟持状に確実に保持するようにしてあり，またこのときビーム保持突起７は，上記波打ち乃至蛇腹のフィン状としたことによりその各内端が潰された状態でも，なおその形状を維持してその挟持状の保持力を充分に確保し，その確実なビーム３の保持を行なうものとしてある。
【００１３】
このブラケット４を用いた支柱１に対するビーム３の取付は，例えば支柱１のビーム受入孔２に係止脚片６を挿入して，これをその周縁内側に係止し，支柱１にブラケット４を取付け，その後にブラケット４の開口にビーム３を嵌入位置決めし，上記ビーム保持突起７によってその挟持状の保持を行なえばよく，このときブラケット７の係止脚片６がビーム受入孔２に馴染んでその保持を確実に行ない，また支柱１に対してビーム３が上下方向乃至前後方向等に傾斜した状態になっても，ビーム保持突起７がその柔軟性によってビーム３の傾斜に対応し，上記係止脚片６によるブラケット４の保持に影響を与えることなく，これを確実に保持することが可能となり，本例にあって該ビーム３の傾斜は，上記係止部を小さく膨出した側においてビーム受入孔２の中心から各１２°の合計で２４°，大きく膨出した側において各６°の合計で１２°の角度で無方向的に可能とするようにしてあり，従って一般にブラケット４の設置を，上記合計２４°の傾斜を上下方向に，合計１２°の傾斜を左右方向に可能とするように行なうことによって，支柱１の設置の精度を解消して，防護柵Ａの設置工事を簡易になし得るものとすることができる。
【００１４】
図中８は，上記ビーム３のブラケット４による保持の状態で，その抜け止め固定を行なうように，ビーム３先端側に設置した透孔に貫通するビーム固定ピンを示す。
【００１５】
図示した例は以上のとおりとしたが，係止脚部を３ヶ所とし或いは５ヶ所以上とし。上記ビーム保持突起をこれらの間に設置したものとすること，この場合を含めて上記例の係止脚部における係止部を各係止脚片に共通の上記小さく膨出するものとして，上記傾斜角度の無方向的な対応を拡大するようにすること，ビーム保持突起を断続的に湾曲する多数の突起によって形成すること，また該ビーム保持突起を湾曲した壁面によって形成すること等を含めて，本発明の実施に当って，支柱，ビーム受入孔，ブラケット，そのリング体，係止脚片，ビーム保持突起等の各具体的形状，構造，材質，これらの関係，これらに対する付加等は，上記発明の要旨に反しない限り，様々の形態のものとすることができる。
【００１６】
【発明の効果】
本発明は以上のとおりに構成したから，請求項１に記載の発明は，脚片に無理な応力が作用することなくビームの嵌入保持を長期に亘って安定して行なうとともに支柱に対するビーム傾斜の許容度を拡大して，防護柵の工事を簡易且つ確実になし得ようにした防護柵のビーム取付ブラケットを提供することができ，請求項２に記載の発明は，上記ビーム保持突起によるビーム嵌入保持の確実性を確保するとともに柔軟性を有する合成樹脂の摩擦抵抗によってビーム嵌入保持の容易性が損なわれる可能性を解消することができ，請求項３に記載の発明は，防護柵にビームを取付けるについて，ブラケットの取付安定性，ビームの嵌入保持の安定性を高度に確保して，確実にして耐久性に優れたビームの保持を可能とするに相応しいブラケットとすることができ，請求項４に記載の発明は，上記合成樹脂を，その柔軟性を適度のものとするとともに屋外設置の防護柵として好ましい耐候性を確保し，長期に亘るビームの安定した保持を可能とすることができる。
【図面の簡単な説明】
【図１】防護柵の正面図である。
【図２】ブラケットの正面図である。
【図３】ブラケットの背面図である。
【図４】ビーム取付け状態の横断面図である。
【図５】ビーム取付け状態の縦断面図である。
【符号の説明】
Ａ  防護柵
１  支柱
２  ビーム受入孔
３  ビーム
４  ブラケット
５  リング体
６  係止脚片
７  ビーム保持突起
８  ビーム固定ピン
【図１】
0003831556.tif 000002
【図２】
0003831556.tif 000003
【図３】
0003831556.tif 000004
【図４】
0003831556.tif 000005
【図５】
0003831556.tif 000006